(57)【要約】【課題】  携帯用小銭入れで、瞬時に数種の硬貨を自動的に選別して収納し、使用者が硬貨の早出し早入れを容易にできる、複雑なメカニズム操作を必要としない簡単な構造のものを実現する。【解決手段】  硬貨の種類に応じた複数の収納部２、３、４、５を縦方向直列に設けて、各収納部の上部は開放して各上端に逆流防止カバー１７を設け、底部のＷ形傾斜面２０上に瞬時に数枚の硬貨を同時通過させるための複数の主、副長方形孔６、７、８、９、１０、１１を設けて、収納する硬貨の直径より小さい直径の硬貨は自然落下させて、更に次の下の各収納部により自動的に硬貨を選別収納する。【選択図】  図１
0003105783.tif 000002
【実用新案登録請求の範囲】
【請求項１】
縦方向直列に複数の収納部（２、３、４、５）を設けた携帯用小銭入れに於いて、最上の第一収納部（２）以外の上端に斜め下方向に突出した逆流防止カバー（１７）を設け、底部には硬貨選別エラーを防止するためのＷ形傾斜面（２０）を設け、数枚の硬貨を同時に通過させる共通幅で貫通する長さの異なる複数の主、副長方形孔（６、７、８、９、１０、１１）を、その長方形孔の長辺の長さを直ぐ次の下に収納する硬貨の直径より僅かに大きい長さに設定し、上から下へ大きい直径の硬貨から小さい直径の硬貨へと順次自動的に選別し所定位置に収納することを特徴とする携帯用小銭入れ。
【考案の詳細な説明】
【技術分野】
【０００１】本考案は多種類の硬貨を自動的に選別する機能を備えた携帯用小銭入れに関する。
【背景技術】
【０００２】携帯が容易な小型で硬貨を種類毎に分別して収納できる小銭入れは、ガマグチ型のもので内部に多数の仕切りを設けたものは従来から有り、使用者は各仕切りの中に予め自分で定めた場所に一定種類の硬貨を入れておいて、支払い時に素早く硬貨を取り出し易いよう工夫していた。しかし上記のガマグチ型では、硬貨を受け取った時は必ず各仕切りの中に硬貨を分類して入れておく必要が有り、小銭入れからの取り出しは早いが、釣り銭を受け取ってから各仕切りの中の所定位置への小銭の収納は面倒で手間の掛かるものとなる。【０００３】そこで、この不便を解消するために、硬貨を自動的に選別して収納する機能を持った小銭入れが従来の特許文献にて提案されていた。（例えば、特許文献１参照。）
【特許文献１】特開平１０−１７９２２７（図１）
以下、上記特許文献１の図１により、提案されていた硬貨選別機能付き小銭入れについて説明すると、図１の構成は、硬貨分配器である回動レバーによる硬貨選別機構を設けて、使用者が回動レバーを操作してストッパーを停止し、硬貨入れ本体を振るなどして硬貨を選別収納する。その結果、硬貨を選別収納する目的は達成されるが、回動レバーを絶えず廻して選別収納するためのメカニズム操作を必要とする欠点が残されている
【考案の開示】
【考案が解決しようとする課題】
【０００４】現時点での特許文献では、携帯用小銭入れの自動的に硬貨を選別する実用的なもので、硬貨の早出し早収納が極く簡単に即座にできるものは無く、有っても上記特許文献１のような使用者の面倒なメカニズム操作を必要とするもので、使用者にとっては扱いにくい感があり今一つ普及していない。そこで本考案では、この点を解決して使用者が従来の小銭入れと同じように気軽に扱っても、硬貨の出し入れは従来にない便利さを発揮するものを実現する。
【課題を解決するための手段】
【０００５】図１のように、上面が開放され底部にＷ形傾斜面２０を設けた３個の収納部２、３、４及び最下収納部５をベースシート１に縦方向直列に設けて、各Ｗ形傾斜面２０には、収納すべき硬貨を通さずに、それ以下の小さい直径の硬貨は通過する大きさの各長方形孔６、７、８、９、１０、１１を設けた。即ち、図５（Ａ）のように第一収納部には主第一長方形孔６と副第一長方形孔７を２個ずつ設け、図５（Ｂ）のように第二収納部には主第二長方形孔８と副第二長方形孔９を３個ずつ設け、図５（Ｃ）のように第三収納部には主第三長方形孔１０と副第三長方形孔１１を３個ずつ設けた。このように各収納部２、３、４、のＷ形傾斜面２０に上から順番に直径の大きい硬貨から順次収納される大きさの長方形孔を設定しておけば、ただ一番上の第一収納部２に数種の硬貨が混在した釣り銭を入れるだけで、硬貨の自重で自然落下した硬貨が各長方形孔６、７、８、９、１０、１１により自動的に選別されて、一定の収納部に一定の硬貨が収納される。即ち図６、図７に示すように、第一収納部２に一番大きい５００円硬貨１３が収納され、第二収納部３には二番目に大きい１０円硬貨１４が収納され、第三収納部４には三番目に大きい１００円硬貨１５が収納され、最後に一番小さい１円硬貨１６が最下収納部に収納されて完了する。各長方形孔６、７、８、９、１０、１１の大きさ決定条件は、長方形の短辺である幅寸法は３枚の１０円硬貨が瞬時に同時通過できる５ミリ程度であれば良く、長辺の寸法については各収納部２、３、４について異なり、各収納部に収納する硬貨より直径の小さい次の下の収納部に収納する硬貨の直径より僅かに大きい０．２ミリ程度の余裕があれば良い。この選別収納動作の進行は硬貨の自然落下に依るものであるから殆ど瞬時に終わり、進行中には使用者は何らのメカニズム操作を必要とせずに自動的に完了する。なお、各収納部２、３、４内を落下して来る硬貨はＷ形傾斜面２０上を滑り落ちるため、長方形孔の長辺に平行に落下するよう強制されて、落下時に斜めになって他の硬貨を通過させるときの混乱を招かないよう未然に防止する。この要件により瞬時に数枚の硬貨を通過させたり、図６のように数枚の硬貨を整然と並んで収納したりすることができるので、自動選別機能は今迄にない迅速化が可能となった。上記の長形孔は主長方形孔６、８、１０と副長方形孔７、９、１１が平行して設けられているが、各主長方形孔６、８、１０が収納した硬貨で満員になった時、副長方形孔に依り補い、より小さい硬貨の落下を妨げないように配慮した。上記構造中、収納部２、３、４、５及び逆流防止カバー１７の材質は、ポリエチレンのような柔軟性と弾力性を兼ね備えたプラスチックが適当で、他は革またはビニルレザーでも良い。
【考案の効果】
【０００６】本考案を買物時に使用すると、受け取った釣り銭を数種の硬貨が混在したままで、ただ一番上の収納部に入れるだけで、各硬貨は殆ど瞬時に選別されて所定の収納部に収納される。そして支払いのため硬貨を取り出したい時は、所定の各収納部から素早く取り出せるので、小銭での支払いの迅速化が可能となる。
【考案を実施するための最良の形態】
【０００７】図１のように各収納部２、３、４、５の左右両端には布製の扇マチ１２を接着し、収納された硬貨を取り出す時に上が拡がって取り出し易いようにした。更に小銭入れを上下逆にして持つと収納部内の硬貨が逆流して収納部外に脱落する恐れがあるので、第一収納部２以外の各収納部３、４、５の上部に、斜め下方向に突出するシート状の逆流防止カバー１７を設けた。その結果、選別動作中の硬貨の落下時衝撃が緩和され、しかも落下時の硬貨の姿勢を常に各長方形孔の長辺と平行を保つ効果が有り、各長方形孔のＷ字形傾斜面２０による効果と相俟って、二重の選別エラー防止効果が生ずる。また携帯する時は、図８のようにベースシート１の上端を矢印（２）のように折り畳んで小型化するので更に携帯し易いものとなる。その折畳み手順を図８により説明すると、先ず最下収納部５の前面を矢印（１）の方向に直ぐ上の第三収納部４に押し忖けながら、ベースシート１の上部を矢印（２）の方向に折り曲げて、ベースシート１上端のファスナーのオス１８を最下収納部５にあるファスナーのメス１９に嵌めて完了する。なお、選別対象の硬貨は、構造上、必然的に一般的に使用されている５００円と１００円、１０円及び１円としたが、日常の買物に使用する小銭入れとしては充分と見做し得る。
【図面の簡単な説明】
【０００８】
【図１】本考案を示す斜視図である。
【図２】本考案を示す正面図である。
【図３】本考案を示す側面図である。
【図４】上記図３でのＴ−Ｕ断面図である。
【図５】本考案の平面図（Ａ）と、図３のＤ−Ｅ断面図（Ｂ）、Ｆ−Ｇ断面図（Ｃ）である。
【図６】図３のＴ−Ｕ断面図に硬貨が収納された状態を記入した参考図である。
【図７】図３の扇マチ１２を片側省略して、硬貨が収納された状態を記入した参考図である。
【図８】本考案の折畳み形態と折畳み手順を示す説明図である。
【符号の説明】
【０００９】１  ベースシート
２  第一収納部
３  第二収納部
４  第三収納部
５  最下収納部
６  主第一長方形孔
７  副第一長方形孔
８  主第二長方形孔
９  副第二長方形孔
１０  主第三長方形孔
１１  副第三長方形孔
１２  扇マチ
１３  ５００円硬貨
１４  １０円硬貨
１５  １００円硬貨
１６  １円硬貨
１７  逆流防止カバー
１８  ファスナーオス
１９  ファスナーメス
２０  Ｗ形傾斜面
【図１】
0003105783.tif 000003
【図２】
0003105783.tif 000004
【図３】
0003105783.tif 000005
【図４】
0003105783.tif 000006
【図５】
0003105783.tif 000007
【図６】
0003105783.tif 000008
【図７】
0003105783.tif 000009
【図８】
0003105783.tif 000010